(57)【要約】【課題】無線通信ネットワークから自己の通信規格に基づく１以上の周波数チャネルをＴＶ帯域幅に割り当てる。【解決手段】１以上の無線通信デバイス３１とコーディネータ３２間で無線通信を行う無線通信ネットワーク３から、自己の通信規格に基づく１以上の周波数チャネルをＴＶＷＳ（TV White Space）における使用可能なＴＶ帯域幅に割り当てる割当処理ステップを有し、当該ステップでは一の上記周波数チャネルの帯域幅がＴＶ帯域幅よりも狭い場合には、当該ＴＶ帯域幅の中心周波数を中心として左右対称となるように１以上の周波数チャネルを当該ＴＶ帯域幅の中に最大限含むようにして割り当て、一の周波数チャネルの帯域幅がＴＶ帯域幅以上の場合には、当該一の周波数チャネルの中心周波数を中心として左右対称となるように、複数かつ最小限のＴＶ帯域に含まれるように割り当てる。【選択図】図１
2013090165.tif 000002
【特許請求の範囲】
【請求項１】
１以上のデバイスとコーディネータ間で無線通信を行う無線通信ネットワークから、自己の通信規格に基づく１以上の周波数チャネルをＴＶＷＳ（TV White Space）における使用可能なＴＶ帯域幅に割り当てる割当処理手段とを備え、
上記割当処理手段は、一の上記周波数チャネルの帯域幅が上記ＴＶ帯域幅よりも狭い場合には、当該ＴＶ帯域幅の中心周波数を中心として左右対称となるように１以上の周波数チャネルを当該ＴＶ帯域幅の中に最大限含むようにして割り当て、一の上記周波数チャネルの帯域幅が上記ＴＶ帯域幅以上の場合には、当該一の周波数チャネルの中心周波数を中心として左右対称となるように、複数かつ最小限のＴＶ帯域に含まれるように割り当てること
を特徴とするＴＶ帯域へのチャネル割り当てシステム。
【請求項２】
１以上のデバイスとコーディネータ間で無線通信を行う無線通信ネットワークから、自己の通信規格に基づく１以上の周波数チャネルをＴＶＷＳ（TV White Space）における使用可能なＴＶ帯域幅に割り当てる割当処理手段とを備え、
上記割当処理手段は、互いに帯域幅の異なる複数種の周波数チャネルを割り当てる際において、複数種の何れの周波数チャネルの帯域幅が上記ＴＶ帯域幅よりも狭い場合には、複数種の周波数チャネルを当該ＴＶ帯域幅の中に最大限含むようにして割り当てること
を特徴とするＴＶ帯域へのチャネル割り当てシステム。
【請求項３】
上記割当処理手段は、隣接する周波数チャネル間の間隔を空けないで上記割り当てを行うこと
を特徴とする請求項１又は２記載のＴＶ帯域へのチャネル割り当てシステム。
【発明の詳細な説明】
【技術分野】
【０００１】
無線通信ネットワークから自己の通信規格に基づく１以上の周波数チャネルをＴＶ帯域幅に割り当てる上で好適なＴＶ帯域へのチャネル割り当てシステムに関するものである。
【背景技術】
【０００２】
アナログテレビからデジタルテレビへの移行に伴い、ある程度の周波数が開放されてそれらの周波数帯域が移動通信に使用されるようになっている。特に、新しい通信サービスや様々なアプリケーションが次々に実用化されている昨今において、この無線帯域の割り当ては細分化され、複雑なものとなっている。このようにして割り当てられた各通信サービスが無線帯域において混在している中で、更に新たな通信サービスをこの無線帯域に割り当てるのは徐々に困難になりつつある。
【０００３】
このため、近年においてTV White Space（ＴＶＷＳ）を利用した無線通信ネットワークの標準化が進められており、ＩＥＥＥ８０２標準がＴＶＷＳにおいて共存するための手法の標準化も進められている。このため、これら異なるＩＥＥＥ８０２標準の通信システムを同じ周波数帯においていかに共存させるかが特に重要になり、特に最近における無線通信機会の飛躍的な増大に伴い、その重要性はより増している。ちなみに、このＴＶＷＳにおけるＴＶ帯域幅は、米国やカナダが６ＭＨｚ、欧州、アジアが７、８ＭＨｚである。
【０００４】
また、このＴＶＷＳでは、実際にライセンスフリーで自由に使用できるＴＶ帯域がより広く存在している。このため、昨今の通信回線が混雑化の状況に鑑み、特に使用していないＴＶ帯域を他の通信（セカンダリユーザ）のために利用することで、当該帯域の効率な利用を促進する必要がある。中でも３ＧＰＰ（Third Generation Partnership Project)  ＬＴＥ（Long Term Evolution）は、第三世代の無線通信において、より高速で快適なモバイル環境を実現するために提案されている標準である。ＬＴＥは、Evolved UMTS Terrestrial Radio Access Network (E-UTRAN）と呼ばれる無線アクセスを利用して、エンドユーザースループットとセクター容量を大幅に改善したものである。このような３ＧＰＰ  ＬＴＥによる無線通信の機会は今後飛躍的に増大する可能性があることから、かかる無線通信の帯域をＴＶＷＳにも割り当てることにより、その通信帯域を確保する必要性がある。
【先行技術文献】
【非特許文献】
【０００５】
【非特許文献１】3rd Generation Partnership Project Technical Specification Group Radio Access Network Evolved Universal Terrestrial Radio Access(E-UTRA) Base Station (BS) radio transmission and reception,3GPP TS 36.104 V9.4.0.
【発明の概要】
【発明が解決しようとする課題】
【０００６】
表１は、この３ＧＰＰ  ＬＴＥによりサポートしている帯域の一覧を示している。
【０００７】
【表１】
2013090165.tif 000003
【０００８】
この表１から示されるように、３ＧＰＰ  ＬＴＥによりサポートしているチャネル帯域幅は、ＴＶＷＳの帯域幅（６、７、８ＭＨｚ）と互いに相違することが示されている。
【０００９】
このため、３ＧＰＰ  ＬＴＥは、使用するチャネル帯域幅についてＴＶＷＳのそれと比較して相違していたため、当該３ＧＰＰ  ＬＴＥをセカンダリユーザとしてＴＶＷＳの帯域に割り当てるのが従来困難とされていた。
【００１０】
そこで、本発明は、上述した問題点に鑑みて案出されたものであり、その目的とするところは、無線通信ネットワークから自己の通信規格に基づく１以上の周波数チャネルをＴＶ帯域幅に割り当てることが可能なＴＶ帯域へのチャネル割り当てシステムを提供することにある。
【課題を解決するための手段】
【００１１】
本発明者は、上述した課題を解決するために、ＴＶＷＳの帯域幅（６、７、８ＭＨｚ）と、３ＧＰＰ  ＬＴＥのチャネル帯域幅とが互いに異なる規格の下で決められている点を考慮しつつ、３ＧＰＰ  ＬＴＥのチャネル帯域幅をＴＶＷＳの帯域幅に対して効率的に割り当てることが可能なＴＶ帯域へのチャネル割り当てシステムを発明した。
【００１２】
即ち、請求項１記載のＴＶ帯域へのチャネル割り当てシステムは、１以上のデバイスとコーディネータ間で無線通信を行う無線通信ネットワークから、自己の通信規格に基づく１以上の周波数チャネルをＴＶＷＳ（TV White Space）における使用可能なＴＶ帯域幅に割り当てる割当処理手段とを備え、上記割当処理手段は、一の上記周波数チャネルの帯域幅が上記ＴＶ帯域幅よりも狭い場合には、当該ＴＶ帯域幅の中心周波数を中心として左右対称となるように１以上の周波数チャネルを当該ＴＶ帯域幅の中に最大限含むようにして割り当て、一の上記周波数チャネルの帯域幅が上記ＴＶ帯域幅以上の場合には、当該一の周波数チャネルの中心周波数を中心として左右対称となるように、複数かつ最小限のＴＶ帯域に含まれるように割り当てることを特徴とする。
【００１３】
請求項２記載のＴＶ帯域へのチャネル割り当てシステムは、１以上のデバイスとコーディネータ間で無線通信を行う無線通信ネットワークから、自己の通信規格に基づく１以上の周波数チャネルをＴＶＷＳ（TV White Space）における使用可能なＴＶ帯域幅に割り当てる割当処理手段とを備え、上記割当処理手段は、互いに帯域幅の異なる複数種の周波数チャネルを割り当てる際において、複数種の何れの周波数チャネルの帯域幅が上記ＴＶ帯域幅よりも狭い場合には、複数種の周波数チャネルを当該ＴＶ帯域幅の中に最大限含むようにして割り当てることを特徴とする。
【００１４】
請求項３記載のＴＶ帯域へのチャネル割り当てシステムは、請求項１又は２記載の発明において、上記割当処理手段は、隣接する周波数チャネル間の間隔を空けないで上記割り当てを行うことを特徴とする。
【発明の効果】
【００１５】
上述した構成からなる本発明によれば、ＴＶＷＳの帯域幅（６、７、８ＭＨｚ）と、３ＧＰＰ  ＬＴＥのチャネル帯域幅とが互いに異なる規格の下で決められている点を考慮しつつ、３ＧＰＰ  ＬＴＥのチャネル帯域幅をＴＶＷＳの帯域幅に対して効率的に割り当てることが可能となる。
【図面の簡単な説明】
【００１６】
【図１】本発明を適用したＴＶ帯域へのチャネル割り当てシステムの構成例を示す図である。
【図２】３ＧＰＰ  ＬＴＥに基づく一の周波数チャネルの帯域幅が１．４ＭＨｚであるときの割り当て処理を示す図である。
【図３】３ＧＰＰ  ＬＴＥに基づく一の周波数チャネルの帯域幅が３ＭＨｚであるときの割り当て処理を示す図である。
【図４】３ＧＰＰ  ＬＴＥに基づく一の周波数チャネルの帯域幅が５、１０ＭＨｚであるときの割り当て処理を示す図である。
【図５】３ＧＰＰ  ＬＴＥに基づく一の周波数チャネルの帯域幅が１５ＭＨｚであるときの割り当て処理を示す図である。
【図６】３ＧＰＰ  ＬＴＥに基づく一の周波数チャネルの帯域幅が２０ＭＨｚであるときの割り当て処理を示す図である。
【図７】互いに帯域幅の異なる複数種の周波数チャネルを割り当てる例を示す図である。
【発明を実施するための形態】
【００１７】
以下、本発明の実施の形態について詳細に説明する。
【００１８】
図１は、本発明を適用した、ＴＶＷＳ（TV White Space）におけるＴＶ帯域へのチャネル割り当てシステム１の構成例を示している。このチャネル割り当てシステム１は、ＴＶＷＳの各チャネルにおける時間毎及び位置毎の空き情報が記録されたＴＶＷＳデータベース２と、複数の無線通信デバイス３１、並びにＴＶＷＳデータベース２との間で通信可能な図示しない通信イネーブラーが実装されたコーディネータ３２とを有する無線通信ネットワーク３と、公衆通信網２５とを備えている。
【００１９】
この無線通信ネットワーク３は、例えば３ＧＰＰ（Third Generation Partnership Project)  ＬＴＥ（Long Term Evolution）等の標準に基づくものである。３ＧＰＰ  ＬＴＥは、第三世代の無線通信において、より高速で快適なモバイル環境を実現するために提案されている標準である。ＬＴＥは、Evolved UMTS Terrestrial Radio Access Network (E-UTRAN）と呼ばれる無線アクセスを利用し、スループットとセクター容量が大幅に改善された規格となっている。この無線通信ネットワーク３内にある各無線通信デバイス３１が、現時点において使用していないＴＶ帯域を選択的に利用することにより、当該ネットワーク内においてＴＶ帯域を用いた無線通信をも行うことが可能となる。
【００２０】
無線通信デバイス３１は、例えばパーソナルコンピュータ（ノートＰＣ）や、携帯電話、更には高機能携帯電話等を初めとした各種携帯情報端末等で構成される。無線通信デバイス３１は、少なくともＷＰＡＮやＷＬＡＮ等の規格に基づき、無線通信ネットワーク３内において時分割で互いにアドホックな無線通信を直接的に行うこともでき、またコーディネータ３２を介して間接的な無線通信を互いに行うことも可能となる。
【００２１】
コーディネータ３２は、無線通信ネットワーク３内において存在する無線通信デバイス３１による無線アクセスポイントの役割を果たし、また公衆通信網２５間とのインターフェースの役割を担うものである。無線通信デバイス３１は、ゲートウェイルータとしてのこのコーディネータ３２を介して公衆通信網２５との間でデータ通信を行うことが可能となる。また、このコーディネータ３２には、図示しない通信イネーブラーが実装されている。この図示しない通信イネーブラーは、複数の無線通信デバイス３１と、ＴＶＷＳデータベース２との間で公衆通信網２５を介した通信を実現する上での翻訳手段としての役割を担う。図示しない通信イネーブラーは、無線通信デバイス３１と、ＴＶＷＳデータベース２との間における通信を中継する。
【００２２】
また公衆通信網２５は、ＴＶＷＳデータベース２とコーディネータ３２とを電話回線を介して接続されるインターネット網を始め、ＴＡ／モデムと接続されるＩＳＤＮ（Integrated Services Digital Network）／Ｂ（broadband）−ＩＳＤＮ等のように、情報の双方向送受信を可能としたネットワーク等である。
【００２３】
また、ＴＶＷＳデータベース２は、ＴＶＷＳの各チャネルにおける空き情報が記録されたデータベースである。即ち、例えばテレビシステムが現在使用している周波数チャネルの状況が分かれば、現時点において空いているチャネルに関する情報（以下、チャネル空き情報という。）も同時に知ることができる。ＴＶＷＳデータベース２には、かかるチャネル空き情報が、時間毎及び位置毎に記録される。このようなＴＶＷＳ２にアクセスすることにより、現時点においてどのＴＶＷＳのチャネルを、どの位置においていかなる時間において使用することが可能であるかを判別することができる。
【００２４】
上述の如き構成からなるチャネル割り当てシステム１では、無線通信ネットワーク３がいわゆるセカンダリネットワークであり、テレビシステムにおいて現時点において使用されていない周波数リソースを周期的または非周期的にセンシングする。そして、このセンシングしたＴＶ帯域において使用可能な周波数リソースを、以下、使用可能なＴＶ帯域幅、という。ちなみにＴＶＷＳにおいて、この使用可能なＴＶ帯域幅は、その規格上６、７、８ＭＨｚの何れかである。
【００２５】
セカンダリネットワークとしての無線通信ネットワーク３は、実際に自己の通信規格（例えば、３ＧＰＰ  ＬＴＥ）に基づく１以上の周波数チャネルをＴＶＷＳにおいて使用可能なＴＶ帯域幅へ割り当てる処理を実行することとなる。ここで３ＧＰＰ  ＬＴＥを例に挙げた場合、一のチャネル帯域の幅は、表１に示すような種類のものがある。以下、３ＧＰＰ  ＬＴＥの各チャネル帯域幅について、実際に使用可能なＴＶ帯域幅に割り当てる割り当て処理について、詳細に説明をする。ちなみに、これら割り当て処理を行う割り当て処理手段については、例えば無線通信デバイス３１内に設けられていてもよいし、コーディネータ３２内に設けられているようにしてもよく、或いは、ＴＶＷＳデータベース２内において設けられていてもよい。
【００２６】
図２の割り当て処理は、何れも３ＧＰＰ  ＬＴＥに基づく一の周波数チャネルの帯域幅が１．４ＭＨｚであるときの例である。図２（ａ）は、使用可能なＴＶ帯域幅が６ＭＨｚであるときにおける周波数チャネルの割り当ての例である。６ＭＨｚからなるＴＶ帯域幅の中には、１．４ＭＨｚの帯域幅を有する周波数チャネルを最大４個割り当てることができる。本発明においては、このＴＶ帯域幅の中に周波数チャネルを最大限含むようにして割り当てる。そして実際に周波数チャネルを割り当てる際には、ＴＶ帯域幅の中心周波数を中心として互いに左右対称となるように割り当てる。このとき、互いに隣接する周波数チャネルの間隔は空けるようにしてもよいし、或いは空けないで連続するようにしてもよいが、以下の例では何れも後者の如く隣接する周波数チャネルを極力詰めて配置する場合を例にとる。
【００２７】
図２（ｂ）は、使用可能なＴＶ帯域幅が７ＭＨｚであるときにおける周波数チャネルの割り当ての例である。７ＭＨｚからなるＴＶ帯域幅の中には、１．４ＭＨｚの帯域幅を有する周波数チャネルを最大５個割り当てることができる。このときも同様にＴＶ帯域幅の中心周波数を中心として互いに左右対称となるように、且つ互いに隣接する周波数チャネルの間隔を空けないようにして割り当てる。
【００２８】
図２（ｃ）は、使用可能なＴＶ帯域幅が８ＭＨｚであるときにおける周波数チャネルの割り当ての例である。８ＭＨｚからなるＴＶ帯域幅の中には、１．４ＭＨｚの帯域幅を有する周波数チャネルを最大５個割り当てることができる。このときも同様にＴＶ帯域幅の中心周波数を中心として互いに左右対称となるように、且つ互いに隣接する周波数チャネルの間隔を空けないようにして割り当てる。なお、この図２（ｃ）の例では、周波数チャネルの両側においてＴＶ帯域幅の剰余分が存在すこととなる。
【００２９】
図３の割り当て処理は、何れも３ＧＰＰ  ＬＴＥに基づく一の周波数チャネルの帯域幅が３ＭＨｚであるときの例である。図３（ａ）は、使用可能なＴＶ帯域幅が６ＭＨｚであるときにおける周波数チャネルの割り当ての例である。６ＭＨｚからなるＴＶ帯域幅の中には、３ＭＨｚの帯域幅を有する周波数チャネルを最大２個割り当てることができる。このときも同様にＴＶ帯域幅の中心周波数を中心として互いに左右対称となるように、且つ互いに隣接する周波数チャネルの間隔を空けないようにして割り当てる。
【００３０】
図３（ｂ）は、使用可能なＴＶ帯域幅が７ＭＨｚであるときにおける周波数チャネルの割り当ての例である。７ＭＨｚからなるＴＶ帯域幅の中には、３ＭＨｚの帯域幅を有する周波数チャネルを最大２個割り当てることができる。このときも同様にＴＶ帯域幅の中心周波数を中心として互いに左右対称となるように、且つ互いに隣接する周波数チャネルの間隔を空けないようにして割り当てる。
【００３１】
図３（ｃ）は、使用可能なＴＶ帯域幅が８ＭＨｚであるときにおける周波数チャネルの割り当ての例である。８ＭＨｚからなるＴＶ帯域幅の中には、３ＭＨｚの帯域幅を有する周波数チャネルを最大２個割り当てることができる。このときも同様にＴＶ帯域幅の中心周波数を中心として互いに左右対称となるように、且つ互いに隣接する周波数チャネルの間隔を空けないようにして割り当てる。
【００３２】
図４（ａ）の割り当て処理は、何れも３ＧＰＰ  ＬＴＥに基づく一の周波数チャネルの帯域幅が５ＭＨｚであるときの例である。使用可能なＴＶ帯域幅が６ＭＨｚであるとき、当該６ＭＨｚからなるＴＶ帯域幅の中には、５ＭＨｚの帯域幅を有する周波数チャネルを最大１個割り当てることができる。このときも同様にＴＶ帯域幅の中心周波数を中心として互いに左右対称となるように、且つ互いに隣接する周波数チャネルの間隔を空けないようにして割り当てる。仮に使用可能なＴＶ帯域幅が７ＭＨｚであるとき、或いは使用可能なＴＶ帯域幅が８ＭＨｚであるときも同様に、５ＭＨｚの帯域幅を有する周波数チャネルを最大１個割り当てることができる。このときも同様にＴＶ帯域幅の中心周波数を中心として互いに左右対称となるように、且つ互いに隣接する周波数チャネルの間隔を空けないようにして割り当てる。
【００３３】
図４（ｂ）の割り当て処理は、何れも３ＧＰＰ  ＬＴＥに基づく一の周波数チャネルの帯域幅が１０ＭＨｚであるときの例である。使用可能なＴＶ帯域幅が６、７、８ＭＨｚであるとき、何れの場合においても、一の周波数チャネルの帯域幅（１０ＭＨｚ）がＴＶ帯域幅以上の場合となってしまう。このため、一のＴＶ帯域幅でこの周波数チャネルの帯域幅をカバーすることができない。かかる場合には、当該一の周波数チャネルの中心周波数を中心として、複数かつ最小限のＴＶ帯域に含まれるように割り当てを行う。
【００３４】
一の周波数チャネルの帯域幅が１０ＭＨｚであるとき、使用可能なＴＶ帯域幅が６、７、８ＭＨｚの何れであっても、２個のＴＶ帯域幅があれば、この周波数チャネルの帯域幅(１０ＭＨｚ)をカバーすることができる。このため、２個のＴＶ帯域幅を、周波数チャネルの中心周波数を中心として左右対称となるようにして割り当てを行うこととなる。
【００３５】
図５（ａ）の割り当て処理は、何れも３ＧＰＰ  ＬＴＥに基づく一の周波数チャネルの帯域幅が１５ＭＨｚであるときの例である。使用可能なＴＶ帯域幅が６、７ＭＨｚであるとき、一の周波数チャネルの帯域幅（１５ＭＨｚ）がＴＶ帯域幅以上の場合となってしまう。このため、当該一の周波数チャネルの中心周波数を中心として、複数かつ最小限のＴＶ帯域に含まれるように割り当てを行う。
【００３６】
一の周波数チャネルの帯域幅が１５ＭＨｚであるとき、使用可能なＴＶ帯域幅が６、７ＭＨｚの何れであっても、３個のＴＶ帯域幅があれば、この周波数チャネルの帯域幅(１５ＭＨｚ)をカバーすることができる。このため、３個のＴＶ帯域幅を、周波数チャネルの中心周波数を中心として左右対称となるようにして割り当てを行うこととなる。
【００３７】
図５（ｂ）の割り当て処理は、何れも３ＧＰＰ  ＬＴＥに基づく一の周波数チャネルの帯域幅が１５ＭＨｚであって、使用可能なＴＶ帯域幅が８ＭＨｚであるときの例である。２個のＴＶ帯域幅により、この周波数チャネルの帯域幅(１５ＭＨｚ)をカバーすることができる。このため、２個のＴＶ帯域幅を、周波数チャネルの中心周波数を中心として左右対称となるようにして割り当てを行うこととなる。
【００３８】
図６（ａ）の割り当て処理は、何れも３ＧＰＰ  ＬＴＥに基づく一の周波数チャネルの帯域幅が２０ＭＨｚであって、使用可能なＴＶ帯域幅が６ＭＨｚであるときの例である。４個のＴＶ帯域幅により、この周波数チャネルの帯域幅(２０ＭＨｚ)をカバーすることができる。このため、４個のＴＶ帯域幅を、周波数チャネルの中心周波数を中心として左右対称となるようにして割り当てを行うこととなる。
【００３９】
図６（ｂ）の割り当て処理は、何れも３ＧＰＰ  ＬＴＥに基づく一の周波数チャネルの帯域幅が２０ＭＨｚであって、使用可能なＴＶ帯域幅が７、８ＭＨｚであるときの例である。３個のＴＶ帯域幅により、この周波数チャネルの帯域幅(２０ＭＨｚ)をカバーすることができる。このため、３個のＴＶ帯域幅を、周波数チャネルの中心周波数を中心として左右対称となるようにして割り当てを行うこととなる。
【００４０】
このように、本発明によれば、一の周波数チャネルの帯域幅がＴＶ帯域幅よりも狭い場合には、当該ＴＶ帯域幅の中心周波数を中心として左右対称となるように１以上の周波数チャネルを当該ＴＶ帯域幅の中に最大限含むようにして割り当てる。これに対して、一の周波数チャネルの帯域幅がＴＶ帯域幅以上の場合には、当該一の周波数チャネルの中心周波数を中心として左右対称となるように、複数かつ最小限のＴＶ帯域に含まれるように割り当てる。
【００４１】
また図７は、互いに帯域幅の異なる複数種の周波数チャネルを割り当てる例を示している。この例では、３ＧＰＰ  ＬＴＥに基づく周波数チャネルの帯域幅が１．４ＭＨｚであるものと、３ＭＨｚであるものの２種類の周波数チャネルを割り当てる場合である。ここでＴＶ帯域幅が６ＭＨｚである場合、３ＭＨｚの周波数チャネルを１個、１．４ＭＨｚの周波数チャネルを２個カバーすることができる。
【００４２】
かかる場合において、必ずしもＴＶ帯域幅の中心周波数を中心として互いに左右対称となるように割り当てるようにしてもよいし、必ずしもそのような割り当てを行わなくてもよい。図７（ａ）は、ＴＶ帯域幅の中心周波数を中心として左側に１個の３ＭＨｚの周波数チャネルを割り当て、右側に２個の１．４ＭＨｚの周波数チャネルを割り当てた例である。また、図７（ｂ）は、ＴＶ帯域幅の中心周波数を中心として右側に１個の３ＭＨｚの周波数チャネルを割り当て、左側に２個の１．４ＭＨｚの周波数チャネルを割り当てた例である。何れも場合においても、ＴＶ帯域幅の中心周波数を中心として配置をしているが、これに限定されるものではない。
【００４３】
このように、本発明によれば、互いに帯域幅の異なる複数種の周波数チャネルを割り当てる際において、複数種の何れの周波数チャネルの帯域幅がＴＶ帯域幅よりも狭いことを条件として、複数種の周波数チャネルを当該ＴＶ帯域幅の中に最大限含むようにして割り当てるようにしてもよい。
【００４４】
なお本発明は、上述した実施の形態に限定されるものではなく、３ＧＰＰ  ＬＴＥ以外の通信標準においても同様の思想を具現化することが可能であることは勿論である。
【実施例１】
【００４５】
３ＧＰＰ  ＬＴＥにおいて、アップリンクとダウンリンクの周波数は、the E-UTRA Absolute Radio Frequency Channel Number (EARFCN)により、０〜６５５３５の範囲で決定される（表２）。特にダウンリンクにおいて、EARFCNとＭＨｚにおけるキャリア周波数の関係は、下記（１）式によって与えられる。ここでFDL-lowと、NOffs-DLは、規格で決められているものであり、NDLは、ダウンリンクのEARFCNである。
【００４６】
FDL=FDL-low+ 0.1(NDL−NOffs-DL)・・・・・・・・・・・（１）
【００４７】
また、EARFCNとアップリンクにおけるＭＨｚにおける周波数の関係は、以下の（２）式で与えられる。ここで、FUL-lowとNOffs-ULは、規格によって決められ、NULは、アップリンクのEARFCNである。
【００４８】
FUL = FUL-low + 0.1(NUL−NOffs-UL) ・・・・・・・・・・・（２）
【００４９】
ここでopt1は、米国やカナダ圏における動作帯域であり、opt2は、それ以外の地域における動作帯域である。
【００５０】
【表２】
2013090165.tif 000004
【符号の説明】
【００５１】
１  ＴＶ帯域へのチャネル割り当てシステム
２  ＴＶＷＳデータベース
３  無線通信ネットワーク
２５  公衆通信網
３１  無線通信デバイス
３２  コーディネータ
【図１】
2013090165.tif 000005
【図２】
2013090165.tif 000006
【図３】
2013090165.tif 000007
【図４】
2013090165.tif 000008
【図５】
2013090165.tif 000009
【図６】
2013090165.tif 000010
【図７】
2013090165.tif 000011